(57)【要約】【課題】  セキュリティメカニズムを持つ電子装置のパワーＯＮ／ＯＦＦ処理方法を提供する。【解決手段】  ユーザ入力設定はパワーＯＮ／ＯＦＦ手順を実行することによって達成され、電子装置のセキュリティメカニズムが提供される。電子装置の初期使用時にはデフォルトパワーＯＮ手順でスタンバイ状態にパワーオンされ（ステップ３００）、ユーザ入力設定状態になる（ステップ３０２）。電子装置の入力装置は、入力要素または入力装置の入力要素の複合によって提供されるユーザ入力設定に設定するために動作する（ステップ３０４）。電子装置は、既に設定されているユーザ入力設定の動作によってパワーＯＮまたはＯＦＦをうまく行える（ステップ３０６）。【選択図】            図１
2006172242.tif 000002
【特許請求の範囲】
【請求項１】
一方の面上に複数の入力要素を有する入力装置を備えた電子装置のパワーＯＮ／ＯＦＦ処理方法であって、
当該電子装置の初期使用時にデフォルトパワーＯＮ手順を実行するため当該入力装置を使用する段階と、
前記電子装置がスタンバイ状態に入った後にパワーＯＮ／ＯＦＦ手順の設定状態を入力するために前記電子装置を設定する段階と、
前記電子装置のパワーＯＮ／ＯＦＦ手順のために、前記入力装置によりユーザ入力設定を設定する段階と、
セキュリティメカニズムを備えたパワーＯＮ／ＯＦＦ手順を有する前記電子装置を保証するためにユーザ入力設定を有効にする段階と、
を含むことを特徴とする電子装置のパワーＯＮ／ＯＦＦ処理方法。
【請求項２】
前記ユーザ入力設定を有効にする段階は、
パワーＯＦＦ手順のためのユーザ入力設定で前記電子装置のパワーをＯＦＦし、その後パワーＯＮ手順のためのユーザ入力設定で前記電子装置のパワーをＯＮする段階と、
前記入力装置によるユーザによらない入力設定でパワーＯＮ手順またはパワーＯＦＦ手順を実行する段階と、
前記電子装置がユーザによらない入力設定によってパワーをＯＮ／ＯＦＦできない場合に、前記電子装置がセキュリティメカニズムを備えたパワーＯＮ／ＯＦＦ手順を有していると判断する段階と、
を含むことを特徴とする請求項１に記載の電子装置のパワーＯＮ／ＯＦＦ処理方法。
【請求項３】
前記ユーザ入力設定を有効にする段階は、
パワーＯＦＦ手順のためのユーザ入力設定で前記電子装置のパワーをＯＦＦし、その後パワーＯＮ手順のためのユーザ入力設定で前記電子装置のパワーをＯＮする段階と、
前記入力装置によるユーザによらない入力設定でパワーＯＮ手順またはパワーＯＦＦ手順を実行する段階と、
前記入力装置によるユーザ入力設定の入力でパワーＯＮ手順を実行する段階と、
前記電子装置がユーザによらない入力設定によってパワーをＯＮ／ＯＦＦできない場合及びユーザ入力設定によってパワーをＯＮ／ＯＦＦできる場合に前記電子装置がセキュリティメカニズムを備えたパワーＯＮ／ＯＦＦ手順を有していることを判断する段階と、
を含むことを特徴とする請求項１に記載の電子装置のパワーＯＮ／ＯＦＦ処理方法。
【請求項４】
パワーＯＮ手順及びパワーＯＦＦ手順のユーザ入力設定は同一の入力設定であることを特徴とする請求項１に記載の電子装置のパワーＯＮ／ＯＦＦ処理方法。
【請求項５】
前記ユーザ入力設定は、前記入力要素の少なくとも１つの選択によって、及び選択された少なくとも１つの入力要素の複合によって実行されることを特徴とする請求項１に記載の電子装置のパワーＯＮ／ＯＦＦ処理方法。
【請求項６】
前記ユーザ入力設定は、選択された少なくとも１つの入力要素の、同時または連続的な操作によって実行されることを特徴とする請求項５に記載の電子装置のパワーＯＮ／ＯＦＦ処理方法。
【請求項７】
さらに、
複数の入力要素を、それぞれが複数の入力要素を含んでいる多数の区画グループに分割する段階と、
パワーＯＮ／ＯＦＦ手順のユーザ入力設定を設定する段階と、
を含むことを特徴とする請求項１に記載の電子装置のパワーＯＮ／ＯＦＦ処理方法。
【請求項８】
さらに、
１つの区画グループから少なくとも１つまたは２つの入力要素を選択する段階と、
選択された入力要素の複合をユーザ入力設定として使用する段階と、
を含むことを特徴とする請求項７に記載の電子装置のパワーＯＮ／ＯＦＦ処理方法。
【請求項９】
さらに、
少なくとも二つの区画グループから少なくとも１つまたは２つの入力要素を選択する段階を含むことを特徴とする請求項７に記載の電子装置のパワーＯＮ／ＯＦＦ処理方法。
【請求項１０】
前記電子装置は、モバイルフォン、スマートフォン、ポータブルコンピュータ、リモートコントローラまたはパーソナルデジタルアシスタンス（ＰＤＡ）のいずれか１つであることを特徴とする請求項１に記載の電子装置のパワーＯＮ／ＯＦＦ処理方法。
【発明の詳細な説明】
【技術分野】
【０００１】
本発明は、電子装置のパワーＯＮ／ＯＦＦ処理方法にかかり、さらに詳しくは、パワーＯＮ／ＯＦＦ処理に対応するユーザ入力設定を用いるＯＮ／ＯＦＦ処理方法に関し、電子装置用のローコストスセキュリティーメカニズムとパワーコントロールメカニズムを提供するものである。
【背景技術】
【０００２】
モバイルフォン、スマートフォン、ポータブルコンピュータ、リモートコントローラおよびパーソナルデジタルアシスタンス（ＰＤＡ）のような消費者の電子装置は、より多機能、大記憶容量を有することが一般的になっており、さらには、電子装置のパワーＯＮ／ＯＦＦ用の処理も製品開発の課題となっている。
【０００３】
電子装置のパワーＯＮ／ＯＦＦの一般的な処理方法は電子装置にパワーボタンを設けることであり、電子装置にはパスワードプロテクションメカニズムがさらに付加される。あるユーザが電子装置のパワーボタンをオンすると、パスワードの入力を要求するパスワードウインドウが現れる。電子装置は正しいパスワードが入力されたときにだけパワーオンを許可する。
【発明の開示】
【発明が解決しようとする課題】
【０００４】
ところが、一般的な電子装置はパワーボタンが誤ってタッチされたときに誤ってパワーＯＮ／ＯＦＦしてしまうという問題が生じる。このことは、パワー制御ボタンを持たない電子装置の保護をさらに困難にする。
【０００５】
さらに、他の指紋認証、声紋認証、網膜認証といった個人認証のセキュリティメカニズムは、電子装置に更なる確証を提供するために提案されている。しかしながら、電子装置のコストとサイズは必然的に上昇する。
【０００６】
本発明は上記のような従来の技術の問題点を解消するためになされたものであり、電子装置用のローコストスセキュリティーメカニズムとパワーコントロールメカニズムを備えた電子装置のパワーＯＮ／ＯＦＦ処理方法の提供を目的とする。
【課題を解決するための手段】
【０００７】
上記目的を達成するための本発明に係る電子装置のパワーＯＮ／ＯＦＦ処理方法は、一方の面上に複数の入力要素を有する入力装置を備えた電子装置のパワーＯＮ／ＯＦＦ処理方法であって、当該電子装置の初期使用時にデフォルトパワーＯＮ手順を実行するため当該入力装置を使用する段階と、前記電子装置がスタンバイ状態に入った後にパワーＯＮ／ＯＦＦ手順の設定状態を入力するために前記電子装置を設定する段階と、前記入力装置により前記電子装置のパワーＯＮ／ＯＦＦ手順のためユーザ入力設定を設定する段階と、セキュリティメカニズムを備えたパワーＯＮ／ＯＦＦ手順を有する前記電子装置を守るためにユーザ入力設定を有効にする段階と、を含むことを特徴とする。
【０００８】
本発明はパワーＯＮ／ＯＦＦ処理方法を提供するものである。本方法はパワーＯＮ／ＯＦＦ処理に対応するユーザ入力設定を用い、電子装置用のローコストスセキュリティーメカニズムとパワーコントロールメカニズムを提供するものである。
【発明の効果】
【０００９】
したがって、本発明は、セキュリティメカニズムを持つ電子装置のパワーＯＮ／ＯＦＦ処理方法を提供する。ユーザ入力設定はパワーＯＮ／ＯＦＦ手順を実行することによって達成され、電子装置のセキュリティメカニズムが提供される。電子装置の初期使用時にはデフォルトパワーＯＮ手順でスタンバイ状態にパワーオンされ、ユーザ入力設定状態になる。電子装置の入力装置は、入力要素または入力装置の入力要素の複合によって提供されるユーザ入力設定に設定するために動作する。電子装置は、既に設定されているユーザ入力設定の動作によってパワーＯＮまたはＯＦＦをうまく行える。
【００１０】
以上の概要は、下記の詳細な説明に関連する本発明の例示的な具体例をより完全な理解の下で説明するために記載したものであり、各請求項に係る発明の技術的範囲を限定するものではない。
【発明を実施するための最良の形態】
【００１１】
以下に、図面を参照しながら本発明に係る実施形態を詳細に説明する。図１は、本発明の好ましい一実施形態に関する電子装置におけるパワーＯＮ／ＯＦＦ処理方法のフローチャートである。本実施の形態における電子装置１は、モバイルフォン、スマートフォン、ポータブルコンピュータ、リモートコントローラまたはパーソナルデジタルアシスタンス（ＰＤＡ）の１つである。電子装置１は、図２に示すように、その一方の面上に配置された入力装置２を有し、その入力装置２は複数の入力要素２１を備えている。入力要素２１は、パワーＯＮ／ＯＦＦ制御、入力指令およびデータ入力の機能に用いられる。
【００１２】
図１に示されるように、セキュリティメカニズムを備えた電子装置のパワーＯＮ／ＯＦＦ処理方法は、次のステップからなる。
【００１３】
ステップ３００：電子装置はそれが最初に使用されるときに、工場で設定されたデフォルト設定でパワーＯＮされる。このパワーＯＮ処理の入力設定は入力装置２によって行われる。
【００１４】
ステップ３０２：電子装置は最初のパワーＯＮの後スタンバイ状態になり、電子装置はパワーＯＮ／ＯＦＦ処理の入力設定状態になる。
【００１５】
ステップ３０４：パワーＯＮ／ＯＦＦ処理のユーザ入力設定は入力装置２によって入力される。このステップではさらに入力設定がパワーＯＮ／ＯＦＦ処理が終了されたことに相当するものであるか否かが吟味される。
【００１６】
ステップ３０６：パワーＯＮ／ＯＦＦ処理の入力設定が再度の電子装置のパワーＯＮ／ＯＦＦによって有効にされる。
【００１７】
セキュリティを有効にするステップ３０６は次のようなサブステップからなる。
【００１８】
上記の状態のステップ３００〜３０４によって終了したパワーＯＦＦ手順のためのユーザ入力設定後、次の動作がユーザ入力設定を有効にするために行われる。電子装置１のパワーＯＦＦ手順のためのユーザ入力設定が電子装置１をパワーＯＦＦするために行われる。その後、サブステップ３０６ａでは、入力装置２は電子装置１のパワーＯＮ手順のためのユーザ入力設定を行うために操作される。したがって、パワーＯＮ／ＯＦＦ手順のためのユーザ入力設定の有効性と操作性は確立される。
【００１９】
その後、ユーザによらない入力設定（この意味は、不適切な許可されない入力設定という意味である）が入力装置２を用いて作動され、電子装置１はパワーＯＮ／ＯＦＦ手順を再度受けさせられる。サブステップ３０６ｂでは、ユーザによらない入力設定により電子装置１がパワーＯＮ／ＯＦＦされるかどうかが判断される。パワーＯＮ／ＯＦＦされたら（サブステップ３０６ｂ：ＮＯ）、ユーザ入力設定が保証されていないことになるので、再度、サブステップ３０６ｂにより確認を実行する。あるいは、ユーザ入力設定が保証されていないことをユーザに警告してもよい。
【００２０】
パワーＯＮ／ＯＦＦされなかったら（サブステップ３０６ｂ：ＹＥＳ）、電子装置１はユーザによらない入力設定から保護するための設定が正確であることを意味する。その後、再度電子装置１のパワーＯＮ／ＯＦＦのために、ユーザ入力設定が行われる。電子装置１がうまくパワーＯＮ／ＯＦＦすれば、ユーザ入力設定が保証される。したがって、サブステップ３０６ｃにおいて、電子装置１はセキュリティメカニズムを備えたパワーＯＮ／ＯＦＦ処理を有していることが保証される。ユーザによらない入力設定では電子装置１はうまくパワーＯＮ／ＯＦＦしない。
【００２１】
本実施の形態においては、パワーＯＮ手順とパワーＯＦＦ手順のユーザ入力は同一である。
【００２２】
他の実施の形態においては、パワーＯＮ手順とパワーＯＦＦ手順のユーザ入力設定が異なる。
【００２３】
上述のユーザ入力設定のパワーＯＮとパワーＯＦＦ手順は図２に示される具体例でさらに説明することができる。入力要素２１の合成はユーザ入力設定に用いることができる。入力要素２１の１つは、ユーザ入力設定のために選択されることができる。もうひとつの方法として、入力要素２１の少なくとも２つは、それらを合成して、ユーザ入力設定のために選択されることができる。図３に示すように、入力要素２２と２３は、ユーザ入力設定のために使用される。さらに具体的には、入力要素２２と２３は、パワーＯＮとパワーＯＦＦ手順の異なるユーザ入力設定を構成するために同時にまたは連続して入力される。
【００２４】
図４は本発明に係るパワーＯＮとパワーＯＦＦ手順のための入力装置の他の具体例を示す。入力装置２の入力要素２１は、複数の区画グループ２４、２５及び２６に分割される。したがって、ユーザはユーザ入力設定として区画グループ２４、２５及び２６の１つを選択的に設定することができる。ユーザ入力設定の方法は、図２に示したものに類似している。さらに、ユーザは複数の区画グループ２４、２５及び２６以外の少なくとも二つを選択することもでき、そして、入力合成として区画グループ２４、２５及び２６のそれぞれから少なくとも１つの入力要素２４１、２５１、２６１を選択することもできる。その入力合成は、セキュリティメカニズムを有するパワーＯＮ／ＯＦＦのユーザ入力設定に使用することができる。
【００２５】
本発明は上述の好ましい具体例を参照して説明したが、本発明はこの詳細な説明に限るものではないことが理解できる。本発明は、上記の説明において当業者であれば多くの置換と変形が可能である。したがって、すべての置換と変形は、特許請求の範囲に記載された発明の特徴の範囲内に包含されるものである。
【産業上の利用可能性】
【００２６】
本発明は、たとえば、モバイルフォン、スマートフォン、ポータブルコンピュータ、リモートコントローラまたはＰＤＡなどの電子機器に適用でき、これらのパワーＯＮ／ＯＦＦをユーザの意図通りに管理できる。
【図面の簡単な説明】
【００２７】
【図１】本発明に係る好ましい１実施形態のパワーＯＮ／ＯＦＦ処理方法を示すフローチャートである。
【図２】本発明に係る好ましい１実施形態の入力装置の概略構成図である。
【図３】本発明に係る好ましい他の実施形態の入力装置の概略構成図である。
【図４】本発明に係る好ましいさらに他の実施形態の入力装置の概略構成図である。
【図５】本発明に係る好ましいさらに他の実施形態の入力装置の概略構成図である。
【符号の説明】
【００２８】
１    電子装置、
２    入力装置、
２１、２２、２３    入力要素、
２４、２５、２６    区画グループ、
２４１、２５１、２６１    入力要素。
【図１】
2006172242.tif 000003
【図２】
2006172242.tif 000004
【図３】
2006172242.tif 000005
【図４】
2006172242.tif 000006
【図５】
2006172242.tif 000007